(57)【要約】【課題】光電変換器が装備された対応コネクタまたはプラグアダプタ内における差込深さが種々異なる場合に、光導波体用コネクタ内にて付加的に軸方向にシフト可能なケーシング部分によって光導波体の最適な適合が達成されるように、光導波体用コネクタ構成すること。【解決手段】コネクタがコネクタケーシングを含み、コネクタケーシング内にてシフトケーシングの中に、フェルールに埋め込まれた光導波体を備える少なくとも１つのフェルールケーシングが配置されており、フェルールは、フェルールケーシングに配置されたばねによって軸方向にシフト可能であり、シフトケーシングは、該シフトケーシング内に保持された少なくとも１つのフェルールケーシングを備えており、軸方向に作用するばねによって、付加的なシフト距離だけ、共に周囲を取り囲んでいるコネクタケーシング内にて軸方向にシフト可能である、ことにより解決される。【選択図】図１
2010204660.tif 000002
【特許請求の範囲】
【請求項１】
とりわけ光電変換器が装備された対応コネクタ（３５）への差込みおよびコンタクトのための、フェルール内で保持された光導波体（３０）用コネクタ（１）であって、
前記コネクタ（１）はコネクタケーシング（２）を含み、
該コネクタケーシング内にて、シフトケーシング（１０）の中に、フェルールに埋め込まれた光導波体（３０）を備える少なくとも１つのフェルールケーシング（２７）が配置されており、
前記フェルールは、フェルールケーシング（２７）に配置されたばねによって軸方向にシフト可能であり、
前記シフトケーシング（１０）は、該シフトケーシング内に保持された少なくとも１つのフェルールケーシング（２７）を備えており、軸方向に作用するばねによって、付加的なシフト距離（１８）だけ、共にシフトケーシングの周囲を取り囲んでいるコネクタケーシング（２）内で軸方向にシフト可能である、
ことを特徴とするコネクタ。
【請求項２】
前記コネクタケーシング（２）に配置されておりかつ前記シフトケーシング（１０）に軸方向に作用する前記ばねは、波形ばね（２５）として構成されている、
ことを特徴とする請求項１記載のコネクタ。
【請求項３】
前記コネクタケーシング（２）は、軸方向にシフト可能なシフトスリーブ（１５）によって周囲を取り囲まれている、
ことを特徴とする請求項１記載のコネクタ。
【請求項４】
前記シフトケーシング（１０）の前記シフト距離（１８）によって必要とされる、環状のコネクタケーシング（２）内の光導波体（３０）の曲げは、このためにコネクタケーシング（２）に配置されているケーブルマネージャ（２０）によって支持され、
該ケーブルマネージャは、前記光導波体（３０）のために側方に開かれた縦長開口部（２３）を有する、
ことを特徴とする請求項１記載のコネクタ。
【請求項５】
前記ケーブルマネージャ（２０）の２つの縦長開口部（２３）は、分離壁（２１）によって実現されている、
ことを特徴とする請求項４記載のコネクタ。
【請求項６】
前記縦長開口部（２３）に形成された整形部（２４）は、前記シフトケーシング（１０）が差込方向とは逆にシフトする際、前記光導波体（３０）の所定の変位を生じさせる、
ことを特徴とする請求項４記載のコネクタ。
【請求項７】
前記コネクタケーシング（２）内における前記シフトケーシング（１５）の軸方向のシフト距離（１８）は、前記コネクタケーシング（２）に設けられた係止開口部（６）の長さによって規定されている、
ことを特徴とする請求項１記載のコネクタ。
【発明の詳細な説明】
【技術分野】
【０００１】
本発明は、とりわけ光電変換器が装備された対応コネクタへの差込みおよびコンタクトのための、光導波体用コネクタに関する。
【０００２】
このように構成されたコネクタは一方では、対応コネクタの光電変換器に対する差し込むべき光導波体の推奨最小圧力を実現するために必要とされ、他方では、対応コネクタの種々異なる規格外れの際にも、光導波体の付加的な移動距離によって確実な差込位置に到達するために必要とされる。
【背景技術】
【０００３】
個々のフェルールケーシングが、光電変換器が装備された対応コネクタの複式装置（Duplex-Anordnung）に直接嵌め込まれる際には、フェルールケーシングに成形された係止アームが、対応コネクタのケーシングに直接かつ正確に嵌合されて係止され得る。しかしながら、快適な差込み方式−さらに周囲環境から保護された差込みも達成すべきである−を実現するためには、とりわけプリント基板上に取り付けられている標準的な変換器ケーシングのためにアダプタケーシングまたはねじ式ケーシングが必要であり、このケーシングには、相応に保護された、フェルールケーシングを内含する光導波体用コネクタケーシングを差込み可能である。フェルールケーシングを付加的なコネクタケーシングの中に収容することによって差込寸法が変更されてしまうので、同一の対応コネクタとの正確な光学的コンタクトはもはや保証されていない。
【０００４】
さらに、光電変換器またはプラグアダプタを備える対応コネクタの構成に応じて全く種々異なる差込深さが発生し得るので、変換器または"対応フェルール"に対する予め考慮すべきフェルールの最小圧力は与えられていない。
【発明の概要】
【発明が解決しようとする課題】
【０００５】
したがって本発明の課題は、光導波体用コネクタを以下のように構成すること、すなわち、光電変換器が装備された対応コネクタまたはプラグアダプタ内における差込深さが種々異なる場合に、光導波体用コネクタ内にて付加的に軸方向にシフト可能なケーシング部分によって、光導波体の最適な適合が達成されるように構成することである。
【課題を解決するための手段】
【０００６】
この課題は、コネクタがコネクタケーシングを含み、該コネクタケーシング内にてシフトケーシングの中に、フェルールに埋め込まれた光導波体を備える少なくとも１つのフェルールケーシングが配置されており、前記フェルールは、フェルールケーシングに配置されたばねによって軸方向にシフト可能であり、前記シフトケーシングは、該シフトケーシング内に保持された少なくとも１つのフェルールケーシングを備えており、軸方向に作用するばねによって、付加的なシフト距離だけ、共に周囲を取り囲んでいるコネクタケーシング内にて軸方向にシフト可能である、ことによって解決される。
【０００７】
本発明の有利な実施形態は従属請求項に記載されている。
【０００８】
本発明は、製造者が種々異なる場合における、光電変換器が装備された対応コネクタの種々異なる差込深さを、特別な予備対策なしに自動的に調整する光導波体用コネクタである。これはとりわけ困難な環境状況下にあるコネクタの場合に予め考慮されている。
【０００９】
通常の変換器用コネクタはとりわけプリント基板の上に配置されており、アダプタケーシングまたはねじ式ケーシングによって光導波体用コネクタとコンタクトすることができる。有利にはこの際、プッシュ・プル・コンタクトに適当なシフトケーシングが使用される。
【００１０】
光導波体用コネクタにおいては、フェルール内に保持された光導波体を、約５Ｎの推奨圧力によって互いに押圧すべきであり、これによって光学信号の最適な伝送が保証されている。
【００１１】
さらに、個々のフェルールは、軸方向に作用するばねによってまず相応の光導波体用フェルールケーシングに挿入されており、該フェルールの光学的表面は、対応コネクタとのコンタクトの際、および、挿入深さが正しい場合に、各ばね圧力によって互いに押し合わされる。
【００１２】
２つの光導波体用コネクタをロックする際に、正しい挿入深さが達成されない場合には、場合によっては光波信号の伝送は不可能である。
【００１３】
本願によって得られる利点は、とりわけばね負荷が加えられたフェルールがシフトケーシング内にあるフェルールケーシングに固定されており、したがってまず光導波体を備えるフェルールだけが軸方向にシフト可能であることにある。さらにシフトケーシングは、コネクタケーシングの中で軸方向の所定の距離だけシフト可能に支承されており、この際、シフトケーシングに作用する波形ばね（Wellenfeder）によって、−係止されたコネクタケーシングには関係なく−シフト距離が予め設定されている。
【００１４】
このようにしてこの構成において、差込深さは、合計約４ｍｍまでの差によって調整することができる。
【００１５】
さらなる利点は、シフトスリーブ（プッシュ・プル原理）によって構成されたコネクタケーシングの構成により、係止による非常に簡単な差込が達成されることであり、この際コネクタケーシングには付加的に相応のパッキング装置が設けられているので、光導波体用コネクタを困難な環境条件においても使用することができる。
【００１６】
シフトケーシングのシフト距離が短縮される際にコネクタケーシング内にて光導波体の不可避の曲げを収容するために、コネクタケーシングの所定の最低長さが必要である。この際コネクタケーシングの内部に、有利には特別な形状を有するケーブルマネージャが挿入されている。この形状の内部において、光導波体がコネクタケーシングを通って挿入されており、光導波体のシフト距離が短縮される場合に有利な曲げ方向が取られ、最低曲げ半径を下回らないようになっている。
【００１７】
図面に本発明の実施例が示されており、この実施例を以下詳細に説明する。
【図面の簡単な説明】
【００１８】
【図１】図１は、光導波体用コネクタの分解図である。
【図２】図２は、光導波体用コネクタと対応コネクタの断面図である。
【図３】図３は、標準的に配向された光導波体を備える、光導波体用コネクタの断面図である。
【図４】図４は、曲げられた光導波体を備える、光導波体用コネクタの断面図である。
【実施例】
【００１９】
図１には、個々のパーツを備える光導波体３０用のコネクタ１が、分解図にて示されている。
【００２０】
ここでは左から右へと示されている。パッキング７を備える押圧ねじ９が示されており、該押圧ねじは、ここにはまだ図示されていないコネクタケーシング２内の光導波体を周囲環境から密封してねじ封止するために必要とされる。これにはさらに下に描かれているケーブルマネージャ２０、ならびに、コネクタケーシング２に嵌め込むための波形ばね２５、ならびに、コネクタ１を対応コネクタにロックおよびアンロックするためのシフトスリーブ１５が含まれている。
【００２１】
コネクタケーシング２のケーブル側端部には環状のシールリップ４が設けられており、該シールリップ４は、周囲を取り囲むシフトスリーブ１５とともに、コネクタケーシングを環境影響から密封する。さらに、上側ハーフシェル１１と下側ハーフシェル１２の２つの部分からなるシフトケーシング１０が図示されており、このシフトケーシングの中には２つのフェルールケーシング２７を並行に差込むことができる。最後に保護キャップ３２が設けられており、該保護キャップは、光導波体３０の敏感な光学的出射面を保護するために、コネクタケーシング２と差込側にて係止することができる。
【００２２】
フェルールケーシング２７をまず下側ハーフシェル１１に嵌め込み、上側ハーフシェル１２を被せた後、フェルールケーシング２７上に成形された係止アーム２８が、こうして形成されたシフトケーシング１０内にてロックされる。
【００２３】
続いてこのシフトケーシング１０はコネクタケーシング２の中に挿入され、そして２つの係止フック１３、すなわちそれぞれ下側ハーフシェル１１および上側ハーフシェル１２にある各係止フックによって、コネクタケーシング２にある対応の縦長の係止開口部６に、波形ばね２５に対する軽い圧力下で係止される。縦長の係止開口部６は、最後に、コネクタケーシング２内におけるシフトケーシング１０の移動距離を制限する。
【００２４】
図２は、コネクタ１と対応コネクタ３５の断面図を示す。対応コネクタ３５は光電変換器３６を有しており、ねじ式ケーシング４０によって取付壁３４の壁開口部に保持されている。
【００２５】
光導波体を光電変換器に結合させるために、コネクタは、ねじ式ケーシング４０の襟形スリーブ４１の上に被せ嵌められる。シフトケーシング１０の両サイドの襟部１４は、ねじ式ケーシング４０のスリーブ４１内のガイドレールとして、対応コネクタ３５に対する簡単かつ確実な被せ嵌めのために使用される。
【００２６】
この際、対応コネクタを、さらなる別の光導波体と接続するための連結部として構成することも可能である。
【００２７】
差込プロセスの完了とともに、シフトスリーブ１５のロックアーム１６がねじ式ケーシング４０の後部４２に掛け留められる。
【００２８】
コネクタ１が上に被せ嵌められるねじ式ケーシング４０の寸法安定性は厳密に維持すべきであるが、その一方で、とりわけねじ式ケーシング４０、取付壁３４、および、とりわけプリント基板３８の上に載置されている対応コネクタ３５、ならびに、対応コネクタ３５の中にある光電変換器、の部材間で製造者が種々異なる場合には、寸法公差は不可避である。
【００２９】
対応コネクタ３５の光電変換器の幾何学的構成が種々異なるせいで光導波体用コネクタ１のための差込深さも種々異なってしまうので、正確な光学的結合は簡単には保証されていない。
【００３０】
このことを阻止するために、コネクタケーシング２の中に、軸方向に所定の距離だけシフト可能なシフトケーシング１０が設けられており、該シフトケーシング１０の内部にフェルールケーシング２７が保持されている。
【００３１】
このようにして、既にフェルールがフェルールケーシング２７内で軸方向にシフト可能であることと並んで、付加的なシフト距離１８によって、光導波体３０の放射面と対応コネクタ３５内の光電変換器３６との間の確実なコンタクトが提供されるのである。
【００３２】
図３および図４には、図１の図面、すなわち、コネクタケーシング２と、コネクタケーシング内に保持された光導波体３０とを備えるコネクタ１の垂直断面図が示されている。
【００３３】
さらに図３には、コネクタケーシング２の上に別個の保護キャップ３２が係止されている様子が示されている。
【００３４】
図３は、シフトケーシング１０が波形ばね２５によって、差込方向において前方の位置−シフト距離１８が見て取れる−へと完全に押圧されている様子を示しており、一方で図４においては、シフトケーシング１０が、外部のＦによって表された圧力負荷によって後方位置へとシフトされている様子が示されている。
【００３５】
この際光導波体３０は、コネクタケーシング２の内部にて（技術的に意義のある範囲内で）比較的強く曲げられて図示されている。この曲げをある程度の範囲内に設定できるようにするために、コネクタケーシング２の内部には特別に構成されたケーブルマネージャ２０が挿入されている。
【００３６】
ケーブルマネージャ２０は円筒状の縦長形状を有しており、以下のようにしてコネクタケーシングの内部に位置決めされている。すなわち、若干円錐形に形成された第１ハーフ部分がケーブルパッキング７の方向に向いており、円筒形に形成された第２ハーフ部分が波形ばね２５の中に突入するように、位置決めされているのである。２つのハーフ部分の間には正方形の結合部２２が形成されており、その一方の面はコネクタケーシング２内の後方のストッパ（図示しない）に当接しており、結合部２２の他方の面は波形ばね２５に当接している。
【００３７】
さらにケーブルマネージャ２０には、軸方向に延在する２つの縦長開口部２３が設けられており、これらの縦長開口部は中央の分離壁２１によって形成されている。縦長開口部２３にはそれぞれ１つの光導波体３０を側方に装填することができる（これに関して図１も参照のこと）。
【００３８】
光導波体３０は、相応に曲げられた整形部２４によって縦長開口部２３に以下のようにして挿入されている。すなわち、シフトケーシング１０が押し戻された際にこの整形部が所定の曲げを受容して、これによってシフトケーシング１０のシフト距離１８に応じてコネクタケーシング内の長さを短縮できるように、挿入されている。
【符号の説明】
【００３９】
１  コネクタ
２  コネクタケーシング
４  環状のシールリップ
５  後方のストッパ
６  １３のための縦長の係止開口部
７  ケーブルパッキング
９  押圧ねじ
１０  シフトケーシング
１１  下側ハーフシェル
１２  上側ハーフシェル
１３  ６のための係止フック
１４  部分襟部
１５  シフトスリーブ
１６  ４２のためのロックアーム
１８  シフト距離
２０  円筒形かつ縦長のケーブルマネージャ
２１  分離壁
２２  正方形の結合部
２３  縦長開口部
２４  壁の曲げ
２５  波形ばね
２７  フェルールケーシング
２８  係止アーム
３０  光導波体
３２  保護キャップ
３４  取付壁
３５  対応コネクタ／結合
３６  光電変換器
３８  プリント基板
４０  ねじ式ケーシング
４１  襟形スリーブ
４２  １６のための切欠部
【図１】
2010204660.tif 000003
【図２】
2010204660.tif 000004
【図３】
2010204660.tif 000005
【図４】
2010204660.tif 000006